(57)【要約】【課題】  複数の柱部材と複数の梁部材とで構成される構造体を基礎として柱部材と梁部材とで囲われて形成される空隙に配される所定の厚みを持つ吸音ボードを支持するパネル支持構造を提供しようとする。【解決手段】  従来の吸音ボードを支持するパネル支持構造にかわって、吸音ボードの外周を囲う枠状の部材である枠状フレームと、前記枠状フレームの表面に固定され構造体に据付けたとき前記枠状フレームの外縁と柱部材または梁部材との隙間を隠すように覆い柱部材または梁部材の表面に裏面を対面させる板状の部材であるパネルと、一方方向と他方方向とに各々に屈曲する１対の屈曲部をもつ板状の部材であって一方の屈曲部から一方方向の側の端部を柱部材または梁部材のうちのひとつに当接させて他方の屈曲部から他方方向の側の端部を前記枠状フレームに固定される複数の取付けブラケットと、で構成されるというものとした。【選択図】    図１
2020186591.tif 000002
【特許請求の範囲】
【請求項１】
複数の柱部材と複数の梁部材とで構成される構造体を基礎として柱部材と梁部材とで囲われて形成される空隙に配される所定の厚みを持つ吸音ボードを支持するパネル支持構造であって、
吸音ボードの外周を囲い表面と裏面とを形成する枠状の部材である枠状フレームと、
前記枠状フレームの表面に固定され構造体に据付けたとき前記枠状フレームの外縁と柱部材または梁部材との隙間を隠す様に覆い板状の部材であるパネルと、
一方方向と他方方向とに各々に屈曲する１対の屈曲部をもつ板状の部材であって構造体に据付けたときに一方の屈曲部から一方方向の側の端部を柱部材または梁部材のうちのひとつに当接させて他方の屈曲部から他方方向の側の端部を前記枠状フレームに固定される複数の取付けブラケットと、
を備えることを特徴とするパネル支持構造。
【請求項２】
前記取付けブラケットが一方方向と他方方向とに各々に屈曲する１対の屈曲部をもつ板状の部材であって構造体に据付けたときに一方の屈曲部から一方方向の側の端部を柱部材または梁部材のうちのひとつの裏面に当接させて他方の屈曲部から他方方向の側の端部を前記枠状フレームの裏面に固定される、
ことを特徴とする請求項１に記載のパネル支持構造。
【請求項３】
柱部材の表面または梁部材の表面とその表面に対面する前記パネルの裏面との間に挟まれる弾性素材製の板状部材と、
を備えることを特徴とする請求項２に記載のパネル支持構造。
【請求項４】
複数の前記取付けブラケットが他方の屈曲部から他方方向の側の端部を前記枠状フレームの裏面に形成される雌ねじにボルトで固定される、
ことを特徴とする請求項３に記載のパネル支持構造。
【請求項５】
一方の端部を柱部材または梁部材に固定され他方の端部を吸音ボードまたは枠状フレームのうちの少なくとも１つに固定される屈曲可能な長尺部材と、
を備えることを特徴とする請求項４に記載のパネル支持構造。
【請求項６】
柱部材の表面または梁部材の表面とその表面に対面する前記パネルの裏面との間に挟まれる弾性素材製の板状部材と、
を備えることを特徴とする請求項１に記載のパネル支持構造。
【請求項７】
複数の取付けブラケットが他方の屈曲部から他方方向の側の端部を前記枠状フレームに形成される雌ねじにボルトで固定される、
ことを特徴とする請求項１に記載のパネル支持構造。
【請求項８】
一方の端部を柱部材または梁部材に固定され他方の端部を吸音ボードまたは枠状フレームの少なくとも１つに固定される屈曲可能な長尺部材と、
を備えることを特徴とする請求項１に記載のパネル支持構造。
【発明の詳細な説明】
【技術分野】
【０００１】
本発明は複数の柱部材と複数の梁部材とで構成される構造体を基礎として柱部材と梁部材とで囲われて形成される空隙に配される所定の厚みを持つ吸音ボードを支持するパネル支持構造に係る。
【背景技術】
【０００２】
複数の柱部材と複数の梁部材とで構成される構造体が用いられる。
例えば、複数の柱部材と複数の梁部材とで構成される構造体が、機械装置の一部として用いられる。
機械装置が騒音、振動を発生するものであるときに、騒音、振動を外部に放射させないことが求められる。
そのために、柱部材と梁部材とで囲われて形成される空隙に配される所定の厚みを持つ吸音ボードを固定することが試みられる。
【０００３】
例えば、プレス装置を内蔵する機械装置が複数の柱部材と複数の梁部材と機関部とで構成される構造体をもつ。
例えば、吸音ボードは、グラスウールを積層したものをパンチングメタルで挟んだ構造をもつ。
パネル支持構造が、構造体を基礎として吸音ボードを支持する。
パネル支持構造は、機関部の発生する振動、騒音を外部に放射することを抑制できる様に吸音ボードを支持することを望まれる。
【０００４】
とろこで、機械装置において、機関部の発生する振動、騒音は空気伝搬、固体伝搬により外部へ放射される。
従って、パネル支持構造は機関部の発生する振動、騒音の空気伝搬、固体伝搬を抑制できる様であることが望まれる。
【発明の概要】
【発明が解決しようとする課題】
【０００５】
本発明は以上に述べた問題点に鑑み案出されたもので、簡易な構造で効率良く複数の柱部材と複数の梁部材とで構成される構造体を基礎として柱部材と梁部材とで囲われて形成される空隙に配される所定の厚みを持つ吸音ボードを支持し、振動、騒音の放射を抑制できるパネル支持構造を提供しようとする。
【課題を解決するための手段】
【０００６】
上記目的を達成するため、本発明に係る複数の柱部材と複数の梁部材とで構成される構造体を基礎として柱部材と梁部材とで囲われて形成される空隙に配される所定の厚みを持つ吸音ボードを支持するパネル支持構造を、吸音ボードの外周を囲い表面と裏面とを形成する枠状の部材である枠状フレームと、前記枠状フレームの表面に固定され構造体に据付けたとき前記枠状フレームの外縁と柱部材または梁部材との隙間を隠すように覆い柱部材または梁部材の表面に裏面を対面させる板状の部材であるパネルと、一方方向と他方方向とに各々に屈曲する１対の屈曲部をもつ板状の部材であって一方の屈曲部から一方方向の側の端部を柱部材または梁部材のうちのひとつに当接させて他方の屈曲部から他方方向の側の端部を前記枠状フレームに固定される複数の取付けブラケットと、で構成されるというものとした。
【０００７】
上記本発明の構成により、枠状フレームは、吸音ボードの外周を囲い表面と裏面とを形成する枠状の部材である。パネルは、前記枠状フレームの表面に固定され構造体に据付けたとき前記枠状フレームの外縁と柱部材または梁部材との隙間を隠す様に覆い板状の部材である。複数の取付けブラケットは、一方方向と他方方向とに各々に屈曲する１対の屈曲部をもつ板状の部材であって構造体に据付けたときに一方の屈曲部から一方方向の側の端部を柱部材または梁部材のうちのひとつに当接させて他方の屈曲部から他方方向の側の端部を前記枠状フレームに固定される。
その結果、枠状フレームの外縁と柱部材、梁部材との隙間を通過する空気伝搬を抑制でき、パネルに振動が伝わりにくくパネルを通過する固体伝搬を抑制できる。
【０００８】
以下に、本発明の実施形態に係るパネル支持構造を説明する。本発明は、以下に記載した実施形態のいずれか、またはそれらの中の二つ以上が組み合わされた態様を含む。
【０００９】
複数の取付けブラケットは、一方方向と他方方向とに各々に屈曲する１対の屈曲部をもつ板状の部材であって構造体に据付けたときに一方の屈曲部から一方方向の側の端部を柱部材または梁部材のうちのひとつの裏面に当接させて他方の屈曲部から他方方向の側の端部を前記枠状フレームの裏面に固定される。
上記本発明に係る実施形態の構成により、複数の取付けブラケットが、一方方向と他方方向とに各々に屈曲する１対の屈曲部をもつ板状の部材であって構造体に据付けたときに一方の屈曲部から一方方向の側の端部を柱部材または梁部材のうちのひとつの裏面に当接させて他方の屈曲部から他方方向の側の端部を前記枠状フレームの裏面に固定される。
その結果、枠状フレームの外縁と柱部材、梁部材との隙間を通過する空気伝搬を抑制でき、パネルに振動が伝わりにくくパネルを通過する固体伝搬を抑制できる。
【００１０】
本発明の実施形態にかかるパネル支持構造は、柱部材の表面または梁部材の表面とその表面に対面する前記パネルの裏面との間に挟まれる弾性素材製の板状部材と、を備える。
上記本発明に係る実施形態の構成により、弾性素材製の板状部材は、柱部材の表面または梁部材の表面とその表面に対面する前記パネルの裏面との間に挟まれる。
その結果、弾性素材製の板状部材は、柱部材、梁部材の振動がパネルに伝わりにくくパネルを通過する固体伝搬を抑制できる。
【００１１】
本発明の実施形態にかかるパネル支持構造は、複数の前記取付けブラケットが他方の屈曲部から他方方向の側の端部を前記枠状フレームの裏面に形成される雌ねじにボルトで固定される。
上記本発明に係る実施形態の構成により、複数の前記取付けブラケットが他方の屈曲部から他方方向の側の端部を前記枠状フレームに形成される雌ねじにボルトで固定される。
その結果、柱部材、梁部材の振動が枠フレームに伝わりにくくパネルを通過する固体伝搬を抑制できる。
【００１２】
本発明の実施形態にかかるパネル支持構造は、一方の端部を柱部材または梁部材に固定され他方の端部を吸音ボードまたは枠状フレームの少なくとも１つに固定される屈曲可能な長尺部材と、を備える。
上記本発明に係る実施形態の構成により、屈曲可能な長尺部材は、一方の端部を柱部材または梁部材に固定され他方の端部を吸音ボードまたは枠状フレームのうちの１つに固定される。
その結果、メンテナンスのため取付けブラケットを外すとき吸音ボード敷き構造のおもいがけない脱落を防止できる。
【発明の効果】
【００１３】
以上説明したように本発明に係る  パネル支持構造は、その手順と構成により、以下の効果を有する。
吸音ボードの外周を枠状フレームで囲い、前記枠状フレームの表面に固定されるパネルが構造体に据付けたとき枠状フレームの外縁と柱部材、梁部材との隙間を隠すように覆い、一方方向と他方方向とに１対の屈曲部を持つ板状の部材である複数の取付けブラケットが構造体に据付けたときに一方の屈曲部から一方方向の側の端部を柱部材、梁部材の裏面に当接させて他方の屈曲部から他方方向の側の端部を前記枠状フレームの裏面に固定される様にしたので、枠状フレームの外縁と柱部材、梁部材との隙間を通過する空気伝搬を抑制でき、パネルに振動が伝わりにくくパネルを通過する固体伝搬を抑制できる。
取付けブラケットが構造体に据付けたときに一方の屈曲部から一方方向の側の端部を柱部材、梁部材のうちの１つの裏面に当接させて他方の屈曲部から他方方向の側の端部を前記枠状フレームの裏面に固定される様にしたので、枠状フレームの外縁と柱部材、梁部材との隙間を通過する空気伝搬を抑制でき、パネルに振動が伝わりにくくパネルを通過する固体伝搬を抑制できる。
弾性素材製の板状部材は、柱部材の表面または梁部材の表面とその表面に対面する前記パネルの裏面との間に挟まれる様にしたので、柱部材、梁部材の振動がパネルに伝わりにくくパネルを通過する固体伝搬を抑制できる。
複数の取付けブラケットが他方の屈曲部から他方方向の側の端部を前記枠状フレームに形成される雌ねじにボルトで固定される様にしたので、柱部材、梁部材の振動が枠フレームに伝わりにくくパネルを通過する固体伝搬を抑制できる。
屈曲可能な長尺部材は、一方の端部を柱部材または梁部材に固定され他方の端部を吸音ボードに固定される様にしたので、メンテナンスのため取付けブラケットを外すとき吸音ボード敷き構造のおもいがけない脱落を防止できる。
従って、簡易な構造で効率良く複数の柱部材と複数の梁部材とで構成される構造体を基礎として柱部材と梁部材とで囲われて形成される空隙に配される所定の厚みを持つ吸音ボードを固定し、振動、騒音の放射を抑制できるパネル支持構造を提供できる。
【図面の簡単な説明】
【００１４】
【図１】本発明の実施形態に係る構造体の正面図である。
【図２】本発明の実施形態に係る構造体のＡ−Ａ断面図である。
【図３】本発明の実施形態に係る構造体の側面図である。
【図４】本発明の第一の実施形態に係るパネル支持構造の平面断面図である。
【図５】本発明の第一の実施形態に係るパネル支持構造の正面図である。
【図６】本発明の第一の実施形態に係るパネル支持構造の背面図である。
【図７】本発明の第一の実施形態に係るパネル支持構造の部分拡大図である。
【図８】本発明の第二の実施形態に係るパネル支持構造の平面断面図である。
【図９】本発明の第二の実施形態に係るパネル支持構造の正面図である。
【図１０】本発明の第二の実施形態に係るパネル支持構造の背面図である。
【図１１】構造体の正面図である。
【図１２】構造体のＢ−Ｂ断面図である。
【図１３】構造体の側面図である。
【発明を実施するための形態】
【００１５】
以下、本発明を実施するための形態を、説明する。
最初に、本発明の実施形態にかかるパネル支持構造を、図を基に、説明する。
パネル支持構造は、複数の柱部材と複数の梁部材とで構成される構造体を基礎として柱部材と梁部材とで囲われて形成される空隙に配される所定の厚みを持つ吸音ボードを支持する構造である。
図１は、本発明の実施形態に係る構造体の正面図である。図２は、本発明の実施形態に係る構造体のＡ−Ａ断面図である。図３は、本発明の実施形態に係る構造体の側面図である。図１１は、パネル支持構造を省略した構造体の正面図である。図１２は、パネル支持構造を省略した構造体のＢ−Ｂ断面図である。図１２は、パネル支持構造を省略した構造体の側面図である。
図１乃至３、図１１乃至１３は、構造体の一例を示す。
構造体１０は、複数の柱部材１１と複数の梁部材１２と機関部１３とで構成される。
例えば、複数の柱部材１１と複数の梁部材１２とはラーメン構造を構成する。
【００１６】
本発明の第一の実施形態にパネル支持構造を、図を基に、説明する。
図４は、本発明の第一の実施形態に係るパネル支持構造の平面断面図である。図５は、本発明の第一の実施形態に係るパネル支持構造の正面図である。図６は、本発明の第一の実施形態に係るパネル支持構造の背面図である。
【００１７】
本発明の第一の実施形態にパネル支持構造は、構造体を基礎として柱部材と梁部材とで囲われて形成される空隙に配される所定の厚みを持つ吸音ボード２１を固定する構造であって、枠状フレーム２２とパネル２３と取付けブラケット２４とで構成される。
本発明の第一の実施形態にパネル支持構造は、枠状フレーム２２とパネル２３と複数の取付けブラケット２４とボルト２５とで構成されてもよい。
本発明の第一の実施形態にパネル支持構造は、枠状フレーム２２とパネル２３と複数の取付けブラケット２４と板状部材２６ａとで構成されてもよい。
本発明の第一の実施形態にパネル支持構造は、枠状フレーム２２とパネル２３と複数の取付けブラケット２４と板状部材２６ａと板状部材２６ｂとで構成されてもよい。
本発明の第一の実施形態にパネル支持構造は、枠状フレーム２２とパネル２３と複数の取付けブラケット２４と長尺部材２７とで構成されてもよい。
本発明の第一の実施形態にパネル支持構造は、枠状フレーム２２とパネル２３と複数の取付けブラケット２４と補強部材２８とで構成されてもよい。
本発明の第一の実施形態にパネル支持構造は、枠状フレーム２２とパネル２３と複数の取付けブラケット２４とボルト２５と板状部材２６ａとで構成されてもよい。
本発明の第一の実施形態にパネル支持構造は、枠状フレーム２２とパネル２３と複数の取付けブラケット２４とボルト２５と板状部材２６ａと長尺部材２７とで構成されてもよい。
本発明の第一の実施形態にパネル支持構造は、枠状フレーム２２とパネル２３と複数の取付けブラケット２４とボルト２５と板状部材２６ａと補強部材２８とで構成されてもよい。
本発明の第一の実施形態にパネル支持構造は、枠状フレーム２２とパネル２３と複数の取付けブラケット２４とボルト２５と板状部材２６ａと長尺部材２７と補強部材２８とで構成されてもよい。
ここで、説明の便宜のため、パネル支持構造において、構造体の外側に向いた面を表面と、構造体の内側に向いた面を裏面と呼称する。
【００１８】
吸音ボード２１は、吸音機能をもつボードである。
例えば、吸音ボード２１は、所定の厚みになるようにグラスウールを積層したものである。
例えば、吸音ボード２１は、所定の厚みになるように積層したグラスウールをパンチングメタルで挟んだものである。
【００１９】
枠状フレーム２２は、吸音ボード２１の外周を囲い表面と裏面とを形成する枠状の部材である。
枠状フレーム２２は、吸音ボード２１の外周を囲い、吸音ボード２１の外縁に沿って表面と裏面とを形成する枠状の部材である。
例えば、枠状フレーム２２は、吸音ボード２１の外縁に沿って  外縁を囲うフレームである。
例えば、枠状フレーム２２は、溝型鋼で構成される。
例えば、枠状フレーム２２は、軽量溝型鋼で構成される。
【００２０】
パネル２３は、枠状フレーム２２の表面に固定され、構造体に据付けたとき枠状フレーム２２の外縁と柱部材１１または梁部材１２との隙間を隠す様に覆う板状の部材である。
パネル２３は、枠状フレーム２２の表面に固定され、構造体に据付けたとき枠状フレーム２２の外縁と柱部材１１または梁部材１２との隙間を隠す様に覆い、裏面を柱部材１１または梁部材１２の表面に対面させる、板状の部材であってもよい。
【００２１】
取付けブラケット２４は、一方方向と他方方向とに各々に屈曲する１対の屈曲部をもつ板状の部材であって構造体に据付けたときに一方の屈曲部から一方方向の側の端部を柱部材１１または梁部材１２のうちの１つに当接させて他方の屈曲部から他方方向の側の端部を枠状フレーム２１に固定される。
取付けブラケット２４は、一方方向と他方方向とに各々に屈曲する１対の屈曲部をもつ板状の部材であって構造体に据付けたときに一方の屈曲部から一方方向の側の端部を柱部材１１または梁部材１２のうちの１つに当接させて他方の屈曲部から他方方向の側の端部を枠状フレーム２１の裏面に固定されてもよい。
取付けブラケット２４は、一方方向と他方方向とに各々に屈曲する１対の屈曲部をもつ板状の部材であって構造体に据付けたときに一方の屈曲部から一方方向の側の端部を柱部材１１または梁部材１２のうちの１つに当接させて他方の屈曲部から他方方向の側の端部を枠状フレーム２１に固定される。
取付けブラケット２４は、一方方向と他方方向とに各々に屈曲する１対の屈曲部をもつ板状の部材であって構造体に据付けたときに一方の屈曲部から一方方向の側の端部を柱部材１１または梁部材１２のうちの１つの裏面に当接させて他方の屈曲部から他方方向の側の端部を枠状フレーム２１の裏面に固定される。
取付けブラケット２４は、一方方向と他方方向とに各々に９０度に屈曲する１対の屈曲部をもつ板状の部材であって構造体に据付けたときに一方の屈曲部から一方方向の側の端部を柱部材１１または梁部材１２の裏面に当接させて他方の屈曲部から他方方向の側の端部を枠状フレーム２１の裏面に固定されてもよい。
取付けブラケット２４が、他方の屈曲部から他方方向の側の端部を枠状フレーム２１に形成される雌ねじにボルトで固定されてもい。
例えば、取付けブラケット２４が、他方の屈曲部から他方方向の側の端部を枠状フレーム２１の裏面に形成される雌ねじにボルトで固定されてもい。
【００２２】
板状部材２６ａは、弾性素材製であって、柱部材１１の表面または梁部材１２の表面とその表面に対面するパネルの裏面との間に挟まれる。
板状部材２６ａは、弾性素材製であって、柱部材１１の表面または梁部材１２の表面とその表面に対面するパネル２３の裏面との間に枠状フレーム２２の外周に沿って配されて挟まれる。
【００２３】
板状部材２６ｂは、弾性素材製であって、柱部材１１の裏面または梁部材１２の裏面とその裏面に対面する取付けブラケット２４の一方方向の側の端部との間に挟まれる。
【００２４】
長尺部材２７は、屈曲可能であって、一方の端部を柱部材１１または梁部材１２に固定され他方の端部を吸音ボードまたは枠状フレームの少なくとも１つに固定される。
例えば、長尺部材２７は、ワイヤー、チェーン、その他である。
図６に、長尺部材２７が一方の端部を柱部材１１に固定され他方の端部を枠状フレーム２２に固定される様子が示される。
【００２５】
補強部材２８は、パネル２３を補強する部材である。
補強部材２８は、パネル２３の裏面に固定され、パネル２３を補強する部材であってもうおい。
補強部材２８は、溝型鋼であってもよい。
補強部材２８は、十字状に配されて、端部を枠状フレーム２２に繋いでもよい。
吸音ボード２１の縁が溝型鋼の溝に嵌まってもよい。
【００２６】
本発明の第二の実施形態にパネル支持構造を、図を基に、説明する。
図８は、本発明の第二の実施形態に係るパネル支持構造の平面断面図である。図９は、本発明の第二の実施形態に係るパネル支持構造の正面図である。図１０は、本発明の第二の実施形態に係るパネル支持構造の背面図である。
【００２７】
本発明の第二の実施形態にパネル支持構造は、構造体を基礎として柱部材と梁部材とで囲われて形成される空隙に配される所定の厚みを持つ吸音ボード２１を固定する構造であって、枠状フレーム２２とパネル２３とドア２９とヒンジ３０とロック機構３１とで構成される。
本発明の第二の実施形態にパネル支持構造は、枠状フレーム２２とパネル２３と複数の取付けブラケット２４とドア２９とヒンジ３０とロック機構３１とで構成されてもよい。
本発明の第二の実施形態にかかるパネル支持構造は、枠状フレーム２２とパネル２３と複数の取付けブラケット２４とボルト２５とドア２９とヒンジ３０とロック機構３１と板状部材２６ａとで構成されてもよい。
本発明の第二の実施形態にかかるパネル支持構造は、枠状フレーム２２とパネル２３と複数の取付けブラケット２４とボルト２５とドア２９とヒンジ３０とロック機構３１と長尺部材２７とで構成されてもよい。
本発明の第二の実施形態にかかるパネル支持構造は、枠状フレーム２２とパネル２３と複数の取付けブラケット２４とボルト２５とドア２９とヒンジ３０とロック機構３１と補強部材２８とで構成されてもよい。
本発明の第二の実施形態にかかるパネル支持構造は、枠状フレーム２２とパネル２３と複数の取付けブラケット２４とボルト２５とドア２９とヒンジ３０とロック機構３１と板状部材２６ａとで構成されてもよい。
本発明の第二の実施形態にかかるパネル支持構造は、枠状フレーム２２とパネル２３と複数の取付けブラケット２４とボルト２５とドア２９とヒンジ３０とロック機構３１と板状部材２６ａと板状部材２６ｂとで構成されてもよい。
本発明の第二の実施形態にかかるパネル支持構造は、枠状フレーム２２とパネル２３とドア２９とヒンジ３０とロック機構３１と板状部材２６ａと長尺部材２７とで構成されてもよい。
本発明の第二の実施形態にかかるパネル支持構造は、枠状フレーム２２とパネル２３と複数の取付けブラケット２４とボルト２５とドア２９とヒンジ３０とロック機構３１と板状部材２６ａと補強部材２８とで構成されてもよい。
本発明の第一の実施形態にかかるパネル支持構造は、枠状フレーム２２とパネル２３と複数の取付けブラケット２４とボルト２５とドア２９とヒンジ３０とロック機構３１と板状部材２６ａと長尺部材２７と補強部材２８とで構成されてもよい。
【００２８】
吸音ボード２１は、吸音機能をもつボードである。
例えば、吸音ボード２１は、所定の厚みになるようにグラスウールを積層したものである。
例えば、吸音ボード２１は、所定の厚みになるように積層したグラスウールをパンチングメタルで挟んだものである。
吸音ボード２１は、後述するドア２９が開閉する開口が形成される。
【００２９】
枠状フレーム２２は、吸音ボードの外周を囲い表面と裏面とを形成する枠状の部材である。
枠状フレーム２２は、吸音ボードの外周を囲い、吸音ボード２１の外縁に沿って表面と裏面とを形成する枠状の部材である。
例えば、枠状フレーム２２は、吸音ボード２１の外縁に沿って  溝型鋼を囲うフレームである。
例えば、枠状フレーム２２は、溝型鋼で構成される。
例えば、枠状フレーム２２は、軽量溝型鋼で構成される。
【００３０】
パネル２３は、枠状フレーム２２の表面に固定され、構造体に据付けたとき枠状フレーム２２の外縁と柱部材１１または梁部材１２との隙間を隠す様に覆う板状の部材である。
パネル２３は、枠状フレーム２２の表面に固定され、構造体に据付けたとき枠状フレーム２２の外縁と柱部材１１または梁部材１２との隙間を隠す様に覆い、柱部材１１または梁部材１２の表面に裏面を対面させる、板状の部材であってもよい。
パネル２３は、後述するドア２９が開閉する開口が形成される。
【００３１】
取付けブラケット２４、板状部材２６ａ、板状部材２６ｂ、及び長尺部材２７の構造は、第一の実施形態にかかるパネル支持構造のものと同じなので、説明を省略する。
【００３２】
補強部材２８は、パネル２３を補強する部材である。
補強部材２８は、パネル２３の裏面に固定され、パネル２３を補強する部材であってもうおい。
補強部材２８は、溝型鋼であってもよい。
補強部材２８は、後述するドア２９が開閉する開口を避けて配されて、端部を枠状フレーム２２に繋いでもよい。
吸音ボード２１の縁が溝型鋼の溝に嵌まってもよい。
【００３３】
ドア２９は、パネル支持構造２０に形成された開口を開閉可能にする扉構造である。
ドア２９の主要構造は、取付ブラケット２４とボルト２５と長尺部材２７とを有しない他は、パネル支持構造２０の構造と同じである。
ドア２９の枠状フレーム２２は、パネル２３に形成された開口の内のりに沿って配されるフレームである。
ドア２９が開口を閉じるとき、ドア２９の枠状フレーム２２が開口に嵌まる。
【００３４】
ヒンジ３０は、ドア２９を回動可能に支持する機械要素である。
【００３５】
ロック機構３１は、ドア２９が開口を塞ぐ姿勢で、パネル２３に固定する機構である。
【００３６】
本発明の実施形態にかかる吸音ボード支持機構の作用を説明する。
吸音ボード２１が、機関部１３から発生する振動騒音が透過して外部に伝わるのを抑制する。
パネル２３が構造体に据付けたとき枠状フレーム２２の外縁と柱部材１１または梁部材１２との隙間を隠す様に覆うので、この隙間を透過する空気伝搬を抑制する。
【００３７】
取付けブラケット２４が、一方方向と他方方向とに各々に屈曲する１対の屈曲部をもつ板状の部材であって構造体に据付けたときに一方の屈曲部から一方方向の側の端部を柱部材または梁部材の裏面に当接させて他方の屈曲部から他方方向の側の端部を枠状フレームの裏面に固定される様にしたので、柱部材と梁部材とに伝搬した振動が取付けブラケットを介してパネル２３に伝搬する固体伝搬を抑止し、パネル２３から放射する音響レベルを小さく出来る。
【００３８】
上述の実施形態に係るパネル支持構造を用いれば、以下の効果を発揮する。
吸音ボード２１の外周を枠状フレーム２２で囲い、枠状フレーム２２の表面に固定されるパネル２３が構造体に据付けたとき枠状フレーム２２の外縁と柱部材、梁部材との隙間を隠すように覆い、一方方向と他方方向とに１対の屈曲部を持つ板状の部材である複数の取付けブラケット２４が構造体に据付けたときに一方の屈曲部から一方方向の側の端部を柱部材、梁部材の裏面に当接させて他方の屈曲部から他方方向の側の端部を枠状フレーム２２の裏面に固定される様にしたので、枠状フレーム２２の外縁と柱部材、梁部材との隙間を通過する空気伝搬を抑制でき、パネル２３に振動が伝わりにくくパネル２３を通過する固体伝搬を抑制できる。
取付けブラケット２４が構造体に据付けたときに一方の屈曲部から一方方向の側の端部を柱部材、梁部材のうちの１つの裏面に当接させて他方の屈曲部から他方方向の側の端部を前記枠状フレーム２２の裏面に固定される様にしたので、枠状フレーム２２の外縁と柱部材、梁部材との隙間を通過する空気伝搬を抑制でき、パネル２３に振動が伝わりにくくパネル２３を通過する固体伝搬を抑制できる。
弾性素材製の板状部材２６ａは、柱部材の表面または梁部材の表面とその表面に対面するパネル２３の裏面との間に挟まれる様にしたので、柱部材、梁部材の振動がパネル２３に伝わりにくくパネル２３を通過する固体伝搬を抑制できる。
複数の取付けブラケット２４が他方の屈曲部から他方方向の側の端部を枠状フレーム２２の裏面に形成される雌ねじにボルト２５で固定される様にしたので、柱部材、梁部材の振動が枠フレームに伝わりにくくパネル２３を通過する固体伝搬を抑制できる。
屈曲可能な長尺部材２７は、一方の端部を柱部材または梁部材に固定され他方の端部を吸音ボード２１に固定される様にしたので、メンテナンスのため取付けブラケット２４を外すとき吸音ボード２１敷き構造のおもいがけない脱落を防止できる。
補強部材２８でパネル２３を補強する様にしたので、補強部材２８の配置によりパネルの固有振動数を共振しないように選択でき、固体伝搬を抑制できる。
【００３９】
本発明は以上に述べた実施形態に限られるものではなく、発明の要旨を逸脱しない範囲で各種の変更が可能である。
パネルの輪郭が正面から見て矩形である場合を例に説明したが、これに限定されない。パネルの輪郭が、柱部材と梁部材とで囲まれる空隙の形状に対応して決められる。
柱部材、梁部材に追加の加工をすることなく、構造体を基礎として吸音ボードを支持できる構造を選択できるが、これに限定されない。
【符号の説明】
【００４０】
１０  構造体
１１  柱部材
１２  梁部材
１３  機関部
２０  パネル支持構造
２１  吸音ボード
２２  枠状フレーム
２３  パネル
２４  取付けブラケット
２５  ボルト
２６ａ  板状部材
２６ｂ  板状部材
２７  長尺部材
２８  補強部材
２９  ドア
３０  ヒンジ  
３１  ロック機構
【先行技術文献】
【特許文献】
【００４１】
【特許文献１】特開２０１６−０７９７９１号
【特許文献２】特開２０１６−０８４５７４号
【特許文献３】実用新案第３２０４９６５号
【特許文献４】特開２０１５−１９６９４８号
【図１】
2020186591.tif 000003
【図２】
2020186591.tif 000004
【図３】
2020186591.tif 000005
【図４】
2020186591.tif 000006
【図５】
2020186591.tif 000007
【図６】
2020186591.tif 000008
【図７】
2020186591.tif 000009
【図８】
2020186591.tif 000010
【図９】
2020186591.tif 000011
【図１０】
2020186591.tif 000012
【図１１】
2020186591.tif 000013
【図１２】
2020186591.tif 000014
【図１３】
2020186591.tif 000015